(57)【要約】【課題】画像形成装置のスキャナ動作時に、ネットワーク接続された情報処理装置に対する画像転送が完了するまでの時間をある程度正確に予測し、ユーザに対して提示することができる画像形成システムを提供することである。【解決手段】画像形成装置が、圧縮された画像データを記憶する圧縮メモリと、前記ネットワークに接続されたプリント／スキャナコントローラと、圧縮された画像データを伸長する伸長器と、前記圧縮メモリに記憶された画像データを前記伸長器によって伸長した後に前記プリント／スキャナコントローラに転送する転送手段と、前記転送手段による転送にかかる残時間を演算する残時間演算手段とを備えたことを特徴とする。【選択図】　図１
2004056338.tif 000002
【特許請求の範囲】
【請求項１】
原稿から画像を読取る画像読取手段と画像データに基づいて用紙に画像を形成する画像形成手段とを有する画像形成装置と、前記画像形成装置と画像データのやり取りを行う情報処理装置とをネットワークで接続して成る画像形成システムにおいて、
前記画像形成装置が、圧縮された画像データを記憶する圧縮メモリと、前記ネットワークに接続されたプリント／スキャナコントローラと、圧縮された画像データを伸長する伸長器と、前記圧縮メモリに記憶された画像データを前記伸長器によって伸長した後に前記プリント／スキャナコントローラに転送する転送手段と、前記転送手段による転送にかかる残時間を演算する残時間演算手段とを備えたことを特徴とする画像形成システム。
【請求項２】
前記伸長器が、前記画像形成手段が前記圧縮メモリに記憶された画像データに基づいて画像形成する際に該画像データを伸長する処理も行うことを特徴とする請求項１に記載の画像形成システム。
【請求項３】
前記残時間演算手段が、予め求めた１枚の画像の画像転送にかかる時間の推定値に基づいて前記残時間を演算することを特徴とする請求項２に記載の画像形成システム。
【請求項４】
前記１枚の画像の画像転送にかかる時間の推定値が、実際にかかった時間の平均によって求められることを特徴とする請求項３に記載の画像形成システム。
【請求項５】
前記残時間演算手段が、予め求めた単位時間当たりの転送データ量の推定値に基づいて前記残時間を演算することを特徴とする請求項２に記載の画像形成システム。
【請求項６】
前記単位時間当たりの転送データ量の推定値が、実際の単位時間当たりの転送データ量の平均によって求められることを特徴とする請求項５に記載の画像形成システム。
【請求項７】
前記画像形成装置が、前記残時間演算手段によって演算した残時間をユーザに対して表示する表示手段をさらに備えたことを特徴とする請求項１に記載の画像形成システム。
【発明の詳細な説明】
【０００１】
【発明の属する技術分野】
本発明は画像形成システムに関し、詳しくは画像形成装置と情報処理装置とがネットワークで接続されて成る画像形成システムに関する。
【０００２】
【従来の技術】
従来から、画像が記録された原稿から画像を読取り画像データとして出力する画像読取手段と、画像データに基づいて用紙等に画像を形成する画像形成手段とを有するディジタル複写機等の画像形成装置がよく知られている。
【０００３】
このような画像形成装置では、たとえば、画像読取手段によって読取った画像データに対してトリミング等の簡単な画像処理を施し、この画像処理を施した画像データに基づいて画像形成手段が画像形成を行うことができる。
【０００４】
また、従来からネットワーク環境で用いられる画像形成システムが提供されている。
【０００５】
この画像形成システムは、たとえば、ディジタル複写機等の画像形成装置と、たとえば画像形成装置に対して画像のスキャン（読取り）やプリント（印刷）を指示するパソコンやワークステーション等の情報処理装置とがネットワークで相互に接続されて構成される。また、ネットワークに複数の画像形成装置や複数の情報処理装置が接続される構成もとり得る。
【０００６】
このような画像形成システムにおいては、たとえば情報処理装置からもしくは画像形成装置の操作部から画像形成装置に対して画像の読取りを指示し、画像形成装置が読取った画像を情報処理装置に転送するスキャナモードとしての利用法が知られている。
【０００７】
従来の画像形成システムでは、たとえばこのスキャナモードで画像形成装置が読取った画像の画像データを情報処理装置に転送し、この画像データを受け取った情報処理装置では、画像データに対して様々な画像処理を施したり、画像データを画像ファイルとしてそのままたとえばハードディスクに保存したり、また、その画像ファイルを必要に応じて画像形成装置に転送して画像形成を行うことができる。
【０００８】
ところで、画像形成装置においては、画像データをハードディスク等に蓄積しておくときに、そのデータ量を削減するため圧縮器によって画像データの圧縮を行うことがある。このような圧縮された画像データに基づいて画像形成する際には、伸長器によってその画像データを伸長し、圧縮前の画像データに戻す必要がある。
【０００９】
また、上述のように画像形成装置から情報処理装置に対して画像データを転送する際、圧縮してある画像データを圧縮されたままで転送することとすると、転送先の情報処理装置においても画像形成装置と同じ伸長器が必要となり、汎用性に欠けるという問題がある。
【００１０】
このため、画像形成装置から情報処理装置に対して画像データを転送する際には、圧縮された画像データを画像形成装置の伸長器によって伸長し、伸長された画像データを転送するのが一般的である。
【００１１】
【発明が解決しようとする課題】
上述のように、画像データを転送する際にも伸長器を利用する必要が生じるとなると、画像形成時のような伸長器を利用する必要がある他の処理と同時に画像データの転送処理を行うことができない。
【００１２】
このため、たとえば画像形成装置をスキャナモードで用いて読取った画像データを情報処理装置に転送するような場合、この転送が完了するまでの間、画像形成装置の伸長器を占有してしまうことになり、伸長器を使う必要がある他の処理ができない状態となってしまう。
【００１３】
ユーザにとっては、自分の処理がどのくらいで実行されるのかを知り得ることが重要であり、スキャナ動作の画像転送がいつ終了するのかを知り得ることが重要となる。
【００１４】
本発明は上記の点にかんがみてなされたもので、ネットワークに接続された画像形成装置や情報処理装置等の複数の装置で構成される画像形成システムにおいて、画像形成装置のスキャナ動作時に、ネットワーク接続された情報処理装置に対する画像転送が完了するまでの時間をある程度正確に予測し、ユーザに対して提示することができる画像形成システムを提供することを目的とする。
【００１５】
【課題を解決するための手段】
本発明は上記の目的を達成するために、原稿から画像を読取る画像読取手段と画像データに基づいて用紙に画像を形成する画像形成手段とを有する画像形成装置と、前記画像形成装置と画像データのやり取りを行う情報処理装置とをネットワークで接続して成る画像形成システムにおいて、前記画像形成装置が、圧縮された画像データを記憶する圧縮メモリと、前記ネットワークに接続されたプリント／スキャナコントローラと、圧縮された画像データを伸長する伸長器と、前記圧縮メモリに記憶された画像データを前記伸長器によって伸長した後に前記プリント／スキャナコントローラに転送する転送手段と、前記転送手段による転送にかかる残時間を演算する残時間演算手段とを備えたことを特徴とする。
【００１６】
また本発明は、請求項１に記載の発明において、前記伸長器が、前記画像形成手段が前記圧縮メモリに記憶された画像データに基づいて画像形成する際に該画像データを伸長する処理も行うことを特徴とする。
【００１７】
また本発明は、請求項２に記載の発明において、前記残時間演算手段が、予め求めた１枚の画像の画像転送にかかる時間の推定値に基づいて前記残時間を演算することを特徴とする。
【００１８】
また本発明は、請求項３に記載の発明において、前記１枚の画像の画像転送にかかる時間の推定値が、実際にかかった時間の平均によって求められることを特徴とする。
【００１９】
また本発明は、請求項２に記載の発明において、前記残時間演算手段が、予め求めた単位時間当たりの転送データ量の推定値に基づいて前記残時間を演算することを特徴とする。
【００２０】
また本発明は、請求項５に記載の発明において、前記単位時間当たりの転送データ量の推定値が、実際の単位時間当たりの転送データ量の平均によって求められることを特徴とする。
【００２１】
また本発明は、請求項１に記載の発明において、前記画像形成装置が、前記残時間演算手段によって演算した残時間をユーザに対して表示する表示手段をさらに備えたことを特徴とする。
【００２２】
【発明の実施の形態】
以下、本発明の実施の形態を図面を参照して説明する。
【００２３】
ここで、図１を参照して本実施の形態の画像形成システムの構成および基本動作について説明する。
【００２４】
図１は、本発明による画像形成システムの一実施の形態のシステム構成を示すブロック図である。
【００２５】
本実施の形態では、画像形成装置の例として電子写真方式のディジタル複写機を挙げ、情報処理装置の例としてＰＣ（パソコン）を挙げて説明する。
【００２６】
図１に示すように、本実施の形態の画像形成システムは、ディジタル複写機１と、ディジタル複写機２と、ＰＣ３と、ＰＣ４と、ＰＣ５とをネットワーク６で接続して構成される。
【００２７】
ディジタル複写機１および２は、それぞれが単独で原稿の読取り（スキャン）および画像形成（プリント）が可能なものであり、そのほかに、ネットワーク６に接続されることにより、たとえばディジタル複写機１で読取った画像をディジタル複写機２に転送しディジタル複写機２で画像形成したり、その逆も可能である。すなわち、ディジタル複写機１や２で読取った画像をネットワーク６を介して他の装置に転送したり、ネットワーク６を介して他の装置から受け取った画像をディジタル複写機１や２で画像形成したりすることが可能である。
【００２８】
また、本実施の形態は、ネットワーク６にＰＣ３、４、５も接続されて構成されている。ＰＣ３、ＰＣ４、ＰＣ５は、それぞれ画像処理手段を有し、この画像処理手段によってたとえばネットワーク６を介して受信した画像データに対して所定の画像処理を施すことができる。この画像処理としては、輝度調整、色調調整、階調調整、画像のトリミング、画像のシャープ化、ソフト化、面付けなど、画像データに対して施されるすべての画像処理が対象となる。
【００２９】
ネットワーク６は、たとえばイーサネット（登録商標）やトークンリング等のＬＡＮやそのほかインターネットなど、どのようなネットワークでもかまわない。ネットワーク６に接続された各装置のそれぞれには、予めネットワーク上のアドレス（たとえばＩＰアドレス）が設定されており、各装置はこのアドレスによって識別され、ネットワーク６に接続された他の装置との通信を行う。
【００３０】
なお、図１では、ディジタル複写機すなわち画像形成装置とＰＣすなわち情報処理装置との数的関係が多対多となっているが、これが１対多、多対１となってもかまわないことはいうまでもない。
【００３１】
図２は、図１に示したディジタル複写機１の構成を示すブロック図である。
【００３２】
図１に示したディジタル複写機１および２は、本実施の形態に関わる基本構成は同様であるので、ここでは代表してディジタル複写機１について説明する。
【００３３】
ディジタル複写機１は、ディジタル複写機１全体の動作を制御する制御部１２と、原稿から画像を読取るスキャナ部１３と、たとえば紙などに画像を形成するプリンタ部１４と、ユーザがディジタル複写機１の操作を入力したり、ユーザに対する情報を表示する操作部１５と、ディジタル複写機１をプリンタまたはスキャナとして用いる場合等におけるコントローラとなるプリント／スキャナコントローラ１６と、制御部１２とプリント／スキャナコントローラ１６とを接続するＰＣＩバス１７とを有して構成される。
【００３４】
また、図２に示すように、スキャナ部１３は光学的に画像を読取るためのＣＣＤ１３ａとスキャナ部１３全体の動作を制御するスキャナ制御部１３ｂとを有し、プリンタ部１４は画像形成の際に感光体上に潜像を形成するＬＤ（レーザダイオード）１４ａとプリンタ部１４全体の動作を制御するプリンタ制御部１４ｂとを有し、操作部１５はディジタル複写機１からユーザに対して情報表示するＬＣＤ１５ａと操作部１５全体の動作を制御する操作部制御部１５ｂとを有する。
【００３５】
図３は、図２に示した制御部１２の内部構成を示すブロック図である。
【００３６】
図３に示すように、制御部１２は、画像メモリ２７のデータ入出力を制御するＤＲＡＭ制御ＩＣ２１と、図２に示したＣＣＤ１３ａからの信号によって画像の読み取りを行う読取り処理部２２と、図２に示したＬＤに信号出力することによって画像の書込みを行う書込み処理部２３と、図２に示したスキャナ制御部１３ｂ、プリンタ制御部１４ｂおよび操作部制御部１５ｂ等の動作制御を行う画像制御ＣＰＵ２４と、プリントすべき一連の画像の枚数やその画像データの先頭アドレス等をジョブデータとして記憶するワークメモリ２５と、動作制御のためのプログラムや装置の各部を調整するパラメータ等を記憶する不揮発メモリ２６と、圧縮した画像データを記憶する圧縮メモリ２７ａと画像データの１ページ分を記憶するページメモリ２７ｂとを有する画像メモリ２７と、画像データの圧縮を行う圧縮器としての圧縮ＩＣ２８と、圧縮された画像データの伸長を行う伸長器としての伸長ＩＣ２９とを有して構成される。
【００３７】
図４は、図２に示したプリント／スキャナコントローラ１６の内部構成を示すブロック図である。
【００３８】
図４に示すように、プリント／スキャナコントローラ１６は、プリント／スキャナコントローラ１６全体の動作を制御するコントローラ制御ＣＰＵ３１と、画像メモリ２７のデータ入出力を制御するＤＲＡＭ制御ＩＣ３２と、ネットワーク６とのインタフェースとなるＬＡＮ　Ｉ／Ｆ３３と、画像データを記憶する画像メモリ３４とを有して構成される。
【００３９】
上述のような構成において、ディジタル複写機１を複写機モード、スキャナモード、プリンタモードの各モードで用いる際の画像データの流れは以下のようになる。
１．画像入力（複写機モードおよびスキャナモード）
ＣＣＤ１３ａ→読取り処理部２２→ＤＲＡＭ制御ＩＣ２１→圧縮ＩＣ２８→ＤＲＡＭ制御ＩＣ２１→圧縮メモリ２７ａ
２．画像入力（プリンタモード）
（１）ＬＡＮ　Ｉ／Ｆから入力されるページ記述言語ファイルをコントローラ制御ＣＰＵがラスタライズして画像メモリ上にプリント画像を作成
（２）ＬＡＮ　Ｉ／Ｆ３３→ＤＲＡＭ制御ＩＣ３２→画像メモリ３４→ＤＲＡＭ制御ＩＣ３２→ＰＣＩバス１７→ＤＲＡＭ制御ＩＣ２１→ページメモリ２７ｂ（３）ページメモリ２７ｂ→ＤＲＡＭ制御ＩＣ２１→圧縮ＩＣ２８→ＤＲＡＭ制御ＩＣ２１→圧縮メモリ２７ａ
３．画像出力（複写機モードおよびプリンタモード）
圧縮メモリ２７ａ→ＤＲＡＭ制御ＩＣ２１→伸長ＩＣ２９→ＤＲＡＭ制御ＩＣ２１→書込み処理部２３→ＬＤ１４ａ
４．画像出力（スキャナモード）
（１）圧縮メモリ２７ａ→ＤＲＡＭ制御ＩＣ２１→伸長ＩＣ２９→ＤＲＡＭ制御ＩＣ２１→ページメモリ２７ｂ
（２）ページメモリ２７ｂ→ＤＲＡＭ制御ＩＣ２１→ＰＣＩバス１７→ＤＲＡＭ制御ＩＣ３２→画像メモリ３４→ＤＲＡＭ制御ＩＣ３２→ＬＡＮ　Ｉ／Ｆ３３
本実施の形態のディジタル複写機１ではこのような経路で画像データが流れる。
【００４０】
図５は、図１に示したディジタル複写機１における画像転送処理のフローチャートを示す図である。
【００４１】
また、図６は、図１に示したディジタル複写機１における画像転送処理のフローチャートを示す図であり、図５に続く処理を示す図である。
【００４２】
この画像転送処理は、ディジタル複写機１をスキャナモードで用いる場合において、原稿から画像を読取り、読取った画像データを圧縮し、圧縮した画像データの圧縮メモリ２７ａへの転送が完了した時点からの処理である。
【００４３】
なお、図５において、Ｉ〜Ｖのマークは、後述の図８、図１１におけるＩ〜Ｖのそれぞれに対応する処理であることを示す。
【００４４】
まず、現時点で未転送圧縮画像があるかを判断し（Ｓ−１）、未転送圧縮画像がない場合には画像読取り中かを判断し（Ｓ−２）、画像読取り中でもなければ処理を終了し、画像読取中の場合はステップ（Ｓ−１）に戻って処理を継続する。
【００４５】
ステップ（Ｓ−１）において未転送圧縮画像がある場合には、未転送画像ありの通知を発行し（Ｓ−３）、時間計測用タイマによる計時を開始する（Ｓ−４）。
【００４６】
その後、画像転送許可通知があるのを待ち（Ｓ−５）、画像転送許可通知があった場合には、圧縮された画像データの伸長を行い（Ｓ−６）、画像転送準備完了の通知を行う（Ｓ−７）。
【００４７】
続いてプリント／スキャナコントローラ１６の画像メモリ３４への画像データの転送が行われ、画像転送完了通知を待ち（Ｓ−８）、画像転送完了通知があった場合には、図６のステップ（Ｓ−９）に進み、時間計測用タイマを停止し、ステップ（Ｓ−４）からステップ（Ｓ−９）までの時間を求める。
【００４８】
次に、ステップ（Ｓ−１０）では平均処理を行う。以下に、この平均処理について説明する。
【００４９】
本実施の形態では、たとえば不揮発メモリ２６に、Ａ３やＡ４といった原稿のサイズと４００ｄｐｉや６００ｄｐｉといった画像読取りの際の解像度との組み合わせごとに、１枚の画像の画像転送にかかる時間の推定値を予め記憶してある。
【００５０】
平均処理では、サイズと解像度との組み合わせごとに、不揮発メモリ２６に記憶してある転送時間の推定値と、実際の転送にかかった時間（ステップ（Ｓ−４）からステップ（Ｓ−９）までをタイマで計測した時間）との平均をとり、この平均の結果を新たな転送時間の推定値として不揮発メモリ２６に記憶する。
【００５１】
ステップ（Ｓ−１０）の平均処理が完了したら、後に図７に示して説明する残時間演算処理を行い（Ｓ−１１）、その後ステップ（Ｓ−１）に戻る。
【００５２】
図７は、図６のステップ（Ｓ−１１）の残時間演算処理のフローチャートを示す図である。
【００５３】
この残時間演算処理のステップ（Ｔ−１）では、転送にかかる時間の残時間を得るために、今回転送する全画像枚数から転送が完了した枚数を減算し、その結果にＡを積算する。ここでＡは、図６のステップ（Ｓ−１０）で求め、不揮発メモリ２６に記憶した、１枚の画像の画像転送にかかる時間の推定値である。
【００５４】
図８は、図７に示した処理を行う場合の具体的なケースにおける残時間の演算結果を示す図である。
【００５５】
この図８は、原稿の片面読み込みモードで、原稿サイズがＡ４、読取り解像度が６００ｄｐｉ、原稿枚数が４枚のときの、プリント／スキャナコントローラへのスキャナ読取り画像の転送タイムチャートである。また、この図８では、図７のステップ（Ｔ−１）におけるＡを２ＳＥＣとしている。
【００５６】
図７の説明に戻り、続くステップ（Ｔ−２）では、画像枚数（今回転送する全画像枚数）と、残枚数（今回転送する全画像枚数から転送が完了した枚数を減算した値）と、残時間（ステップ（Ｔ−１）で求めた残時間）とを、操作部１５のＬＣＤ１５ａに表示する。
【００５７】
なお、図９は、図２に示したＬＣＤ１５ａにおける、残時間の表示例を示す図である。図９において、スキャナモードの場合は、「残枚数＝画像枚数−転送完了枚数」である。
【００５８】
このように本実施の形態によれば、画像転送にかかる時間の残時間が、実際にかかった時間の平均に基づいて求められるので、ユーザはある程度正確な時間を知ることができるという効果がある。
【００５９】
次に、前述の図７とは別の実施の形態について説明する。
【００６０】
図１０は、図６のステップ（Ｓ−１１）の残時間演算処理のフローチャートを示す図であり、図７とは別の例を示す図である。
【００６１】
なお、この図１０の処理を行う場合には、図６のステップ（Ｓ−１０）においても、図７の場合とは異なる処理を行う。ここで、図１０に示す処理を行う場合における、図６のステップ（Ｓ−１０）の平均処理について説明する。
【００６２】
本実施の形態では、Ａ３やＡ４といった原稿のサイズと４００ｄｐｉや６００ｄｐｉといった画像読取りの際の解像度との組み合わせごとに、画像データのデータ量を予め求めて不揮発メモリ２６に記憶しておく。たとえば、Ａ４の４００ｄｐｉのとき１．９３ＭＢで、Ａ３の４００ｄｐｉのとき３．８６ＭＢで、Ａ４の６００ｄｐｉのとき４．３５ＭＢで、Ａ３の６００ｄｐｉのとき８．７ＭＢとなる。また、不揮発メモリ２６には、単位時間当たりの転送データ量の推定値を予め記憶してある。
【００６３】
この例における平均処理では、不揮発メモリ２６に記憶してある単位時間当たりの転送データ量の推定値と、実際の転送によって求められた単位時間当たりの転送データ量（ステップ（Ｓ−４）からステップ（Ｓ−９）までをタイマで計測した時間と、このとき転送した画像のデータ量（画像のサイズと解像度とによって定まる）とに基づいて求める）との平均をとり、この平均の結果を、新たな単位時間当たりの転送データ量の推定値として不揮発メモリ２６に記憶する。
【００６４】
ステップ（Ｓ−１０）の平均処理が完了したら、図１０に示して説明する残時間演算処理を行い（Ｓ−１１）、その後ステップ（Ｓ−１）に戻る。
【００６５】
図１０に示す残時間演算処理のステップ（Ｕ−１）では、転送にかかる時間の残時間を得るために、今回転送する全画像枚数から転送が完了した枚数を減算し、その結果に画像データ量（原稿１枚当たりのデータ量）を積算しＢで除算する。ここでＢは、図６のステップ（Ｓ−１０）で求め、不揮発メモリ２６に記憶した、単位時間当たりの転送データ量の推定値である。
【００６６】
図１１は、図１０に示した処理を行う場合の具体的なケースにおける残時間の演算結果を示す図である。
【００６７】
この図１１は、原稿の片面読み込みモードで、原稿サイズがＡ４、読取り解像度が６００ｄｐｉ、原稿枚数が４枚のときの、プリント／スキャナコントローラへのスキャナ読取り画像の転送タイムチャートである。また、この図８では、サイズＡ４、解像度６００ｄｐｉのときのデータ量を４．３５ＭＢとし、図１０のステップ（Ｕ−１）におけるＢを１ＭＢ／ＳＥＣとしている。
【００６８】
図１０の説明に戻り、続くステップ（Ｕ−２）では、画像枚数（今回転送する全画像枚数）と、残枚数（今回転送する全画像枚数から転送が完了した枚数を減算した値）と、残時間（ステップ（Ｕ−１）で求めた残時間）とを、操作部１５のＬＣＤ１５ａに表示する。
【００６９】
【発明の効果】
以上説明したように、本発明によれば、ネットワークに接続された画像形成装置や情報処理装置等の複数の装置で構成される画像形成システムにおいて、画像形成装置のスキャナ動作時に、ネットワーク接続された情報処理装置に対する画像転送が完了するまでの時間をある程度正確に予測し、ユーザに対して提示することができる画像形成システムを提供することができる。
【００７０】
また本発明によれば、画像形成装置のスキャナ動作自体がいつ完了するのか（ネットワーク接続された外部の情報処理装置から画像形成装置にアクセスしてスキャナ画像を取り込めるタイミング）をユーザにある程度正確に知らせることが可能で、勝つスキャナ動作の後に予約されたコピー、プリント等の処理が待たされる時間をユーザに知らせることが可能となる。特に大量の原稿をスキャナによって読取るような処理が行われる場合に本発明は有効である。
【図面の簡単な説明】
【図１】本発明による画像形成システムの一実施の形態のシステム構成を示すブロック図である。
【図２】図１に示したディジタル複写機の構成を示すブロック図である。
【図３】図２に示した制御部の内部構成を示すブロック図である。
【図４】図２に示したプリント／スキャナコントローラの内部構成を示すブロック図である。
【図５】図１に示したディジタル複写機における画像転送処理のフローチャートを示す図である。
【図６】図１に示したディジタル複写機における画像転送処理のフローチャートを示す図であり、図５に続く処理を示す図である。
【図７】図６のステップ（Ｓ−１１）の残時間演算処理のフローチャートを示す図である。
【図８】図７に示した処理を行う場合の具体的なケースにおける残時間の演算結果を示す図である。
【図９】図２に示したＬＣＤにおける、残時間の表示例を示す図である。
【図１０】図６のステップ（Ｓ−１１）の残時間演算処理のフローチャートを示す図であり、図７とは別の例を示す図である。
【図１１】図１０に示した処理を行う場合の具体的なケースにおける残時間の演算結果を示す図である。
【符号の説明】
１、２　ディジタル複写機
３、４、５　ＰＣ
６　ネットワーク
１２　制御部
１３　スキャナ部
１３ａ　ＣＣＤ
１３ｂ　スキャナ制御部
１４　プリンタ部
１４ａ　ＬＤ
１４ｂ　プリンタ制御部
１５　操作部
１５ａ　ＬＣＤ
１５ｂ　操作部制御部
１６　プリント／スキャナコントローラ
２１　ＤＲＡＭ制御ＩＣ
２２　読取り処理部
２３　書込み処理部
２４　画像制御ＣＰＵ
２５　ワークメモリ
２６　不揮発メモリ
２７　画像メモリ（ＤＲＡＭ）
２７ａ　圧縮メモリ
２７ｂ　ページメモリ
２８　圧縮ＩＣ
２９　伸長ＩＣ
３１　コントローラ制御ＣＰＵ
３２　ＤＲＡＭ制御ＩＣ
３３　ＬＡＮ　Ｉ／Ｆ
３４　画像メモリ（ＤＲＡＭ）
【図１】
2004056338.tif 000003
【図２】
2004056338.tif 000004
【図３】
2004056338.tif 000005
【図４】
2004056338.tif 000006
【図５】
2004056338.tif 000007
【図６】
2004056338.tif 000008
【図７】
2004056338.tif 000009
【図８】
2004056338.tif 000010
【図９】
2004056338.tif 000011
【図１０】
2004056338.tif 000012
【図１１】
2004056338.tif 000013